【事件の表示】
　特願２０１０−２１１０４６「画像形成装置」拒絶査定不服審判事件〔平成２３年　２月２４日出願公開、特開２０１１−　３９５３９〕について、次のとおり審決する。
【結　論】
　本件審判の請求は、成り立たない。
【理　由】
１　経緯
　本件出願は、平成１６年２月２３日（優先権主張平成１５年３月４日）に出願した特願２００５−５０３０１２号の一部を平成２２年９月２１日に新たな特許出願としたものであって、 平成２３年１月２７日付けで拒絶理由が通知され、平成２３年３月３０日付けで手続補正がなされたが、平成２３年９月６日付けで拒絶査定がなされたものである。
　本件は、上記拒絶査定を不服として平成２３年１２月８日付けで請求された拒絶査定不服審判であって、同日付で手続補正（請求と同時にする補正）がなされたものである。
　
２　本願発明
　本件出願の請求項１ないし３に係る発明は、平成２３年１２月８日付けで補正された特許請求の範囲の請求項１ないし３に記載されたとおりのものであり、そのうち、請求項１に係る発明（以下、本願発明という）は、次のとおりである。
　
［本願発明］（請求項１）
　特定の波長帯域の光を透過させるフィルタを介して第１のラインセンサを用いて原稿の画像を第１の走査速度で読み取ってイメージ情報に変換する第１の画像読取手段と、
　フィルタを介さないかもしくは透明フィルタを介して前記第１のラインセンサよりも感度の高い前記第１のラインセンサとは異なる第２のラインセンサを用いて前記第１の走査速度よりも速い第２の走査速度で原稿の画像を読み取ってイメージ情報に変換する第２の画像読取手段と、
　前記第１の画像読取手段によって読み取られたイメージ情報に基づいて出力画像をカラー画像を形成する際のプロセス速度である第１の出力画像速度で形成する第１の出力画像形成手段と、
　前記第２の画像読取手段によって読み取られたイメージ情報に基づいて出力画像をモノクロ画像を形成する際のプロセス速度である第２の出力画像速度で形成する第２の出力画像形成手段と
　を備え、
　前記第２の出力画像形成手段は前記第１の出力画像形成手段より速い速度で出力画像を形成することを特徴とする画像形成装置。
　
３　刊行物
　査定の理由として呈示された特開２００１−２４５１６４号公報（以下、「刊行物１」ともいう）には、図面と共に次の記載がある。
　
（刊行物１の記載）
「【０００１】
【発明の属する技術分野】本発明は、ホストコンピュータ及びネットワーク状の画像読取装置から画像読取データを取り込んで記録材上に画像を形成する画像形成装置およびその制御方法、並びに画像形成制御プログラムを記録した記録媒体に関する。
【０００２】
【従来の技術】近年、複写機のリーダ部（画像読取部）で取り込んだ画像データをネットワーク等を通じてパーソナルコンピュータ（以下、パソコン）上に取り込んで処理するネットワークスキャン機能が普及してきている。
【０００３】
【発明が解決しようとする課題】しかしながら、リーダ部とプリント部が分離している装置で、かつ通常コピー時にスキャン（画像読取走査）を複数回行うことでカラープリント画像を得ることができる画像形成装置においては、リーダ部とプリンタ部間のインターフェース信号は成るべく最小限であることが望ましい。
【０００４】本発明は、上述の点に鑑みてなされたもので、その目的は、限られたインターフェース信号のみで画像を読み取ることができる画像形成装置およびその制御方法、並びに画像形成制御プログラムを記録した記録媒体を提供することにある。」
　
「【０００９】（作用）従来装置では原稿画像の輝度信号（Ｒ，Ｇ，Ｂ）を１回スキャンで同時に取り込んでいるのに対して、本発明では、カラー画像読取り時には、Ｒ，Ｇ，Ｂの順で、３回スキャン、あるいは濃度信号（Ｙ，Ｍ，Ｃ，Ｋ）の順で、４回スキャンし、白黒画像読取り時には、１回スキャンで画像を読み取るようにしたので、インターフェース信号を増大させることなく、スキャン機能を実現することができる。」
　
「【００１１】［全体の構成］図１は本発明の一実施形態の画像形成装置の概略構成を模式的に示す。同図において、１０１はリーダ枠体であり、１０２は原稿台、１０３は光源、１０４は光電変換部、１０５はアナログデジタル変換部である。１０６はリーダコントローラである。２００１はプリンタ本体であり、２００２はプリンタの紙搬送制御や画像形成制御を行うＤＣコントローラ（エンジン制御部）、２００３は画像形成部である。２１０３はプリンタコントローラであり、プリンタ本体２００１に内蔵されている。」
　
「【００１７】全体の概要について図２を用いて説明する。２１０１はビデオＩ／Ｆ（インターフェース）であり、後述するプリンタ２１０２とプリンタコントローラ２１０３間の通信を行うものである。このＩ／Ｆの各信号についての詳細は後述する。プリンタ２１０２は、Ｉ／Ｆ２１０１を介して受け取る電気画像信号を目に見える形に形成し、記録紙に転写し、定着した後出力する。これらの画像形成シーケンスを実現するために、各種の負荷を制御する。その他に、プリンタ２１０２はプリント状態を検知し、プリンタコントローラ２１０３に対して通知する働きも行っている。プリンタコントローラ２１０３は、ホストコンピュータ２１０４、あるいはネットワーク２１０５を介して送られてくるデータを受け取る。このデータは、ビットマップデータや、ＰＤＬ（Page Description Language ）記述のデータなど様々な形式で送られてくる。このデータをメモリ（図示しない）に展開し、ラスタ形式のデータにしてプリンタ２１０２へデータを転送する。このようにして、ホストコンピュータ２１０４で作成されたデータをプリンタ２１０２で出力することができる。」
　
「【００２７】次に、エンジン制御部２００２が制御するプリンタ２１０２の内部機構を図５を用いて説明する。図５はプリンタ１０２を前面から見た図である。同図において、４０１はスキャナーであり、プリンタコントローラ２１０３から送られてきた画像信号である／ＶＤＯ２１１を受け取り、画像信号をレーザー光に変換したのち、このレーザー光を感光体４０２に照射して、感光体４０２上に潜像を形成する。
【００２８】感光体４０２は反時計回りに回転しながら、４０３の色現像器や４０４の黒現像器に到達する。現像器４０３，４０４は感光体４０２上に帯電された電荷に応じてトナーを感光体４０２上にのせることで上記潜像を現像させる働きをする。画像が白黒の時は、黒現像器４０４のみが動作し、カラーの時は、両方の現像器４０３と４０４が使用される。
【００２９】次に、感光体４０２上に生成されたトナー画像は、時計回りに回転している中間転写体４０５に転写される。この中間転写体４０５は、白黒の場合は１回転、カラーの場合は４回転して画像生成を中間転写体４０５上に完了する。
【００３０】一方で、４０８の上段カセット、あるいは４０９の下段カセットから、４１１あるいは４１２のピックアップローラで給紙された記録紙が、４１３あるいは４１４の給紙ローラに従って搬送され、４１５の搬送ローラにより更にレジ前まで搬送されていく。
【００３１】そして、上記の中間転写体４０５で画像形成が終了するタイミングで中間転写体４０５と４０６の転写ベルトの間に記録紙が来るように、記録紙搬送のタイミングが制御される。中間転写体４０５と転写ベルト４０６の間に記録紙が到達したところで、転写ベルト４０６が中間転写体４０５に接して、トナーが記録紙に転写される。記録紙に転写された画像は、４０７の定着ローラで、熱と加圧により記録紙に定着される。
【００３２】画像が定着された記録紙は、プリンタコントローラ２１０３によりあらかじめ指定されていた４１７で示すフェースアップ排紙口か４１８で示すフェースダウン排紙口のいずれかに搬送され、排紙される。以上の動作で、プリンタコントローラ２１０３から送られてきた画像情報を記録紙にプリントして出力することができる。」
　
「【００４７】［リーダコントローラを装着した場合の構成］図９は、本実施形態の画像形成装置に、コンピュータ（ホスト）２１０４から転送されたデータを元にしてプリンタコントローラ２１０３から出力される画像データだけでなく、用紙上の原稿画像を光学的に読み込んでデジタル信号に変換して出力するリーダコントローラを装着した場合の外観構成を示す。
【００４８】同図において、８０１は原稿を光学的に読み取る部分まで搬送するための原稿給送装置、８０２は光学読取装置、８０５は原稿台ガラスである。原稿給送装置８０１は光学読取装置８０２と同期して駆動され、原稿給送装置８０１によって原稿画像が原稿台ガラス８０５上に移送されると、光学読取装置８０２は同図の左右方向に移動しながら、画像を走査し、光学系により適当な光学処理を加えた反射光を光電変換部８０４に送る。８０３はプリンタ本体である。」
　
「【００５７】［フルカラーモードのコピー時の動作］次に、フルカラー原稿画像を読み取り、画像形成装置から出力する場合の本発明実施形態における動作を説明する。
【００５８】図９の操作部９０５上にあるコピー開始キー（図示しない）が入力されると、リーダコントローラ９０１は、コピーモード（コピーモード）のために、ゲート部３１０６及び信号制御２２０８を閉じ、また、ゲート３１０１をＯＮ、３１０２をＯＦＦ、３１０３をＯＦＦにすることで、画像処理部９０２の出力がエンジン制御部２００２に送られるように設定する。次いで、リーダコントローラ９０１は、入出力ポート２２０３を用いてエンジン制御部２００２に対してプリンタのレディ状態信号／ＰＲＤＹをチェックにいく。次に、リーダコントローラ９０１は、シリアル通信コントローラ２２０２を用いて、各種設定を行う。まず、リーダコントローラ９０１は、記録紙の給紙段を指定のコマンドを発行する。更にリーダコントローラ９０１は、指定したカセットにある記録紙サイズを要求するコマンドを発行する。これらの一連のコマンドに対して、エンジン制御部２００２は対応したステータスを返す。
【００５９】次に、リーダコントローラ９０１は、排紙口を指定するコマンドで排紙口を決定し、何ページ画像を形成するかを指定するページモード指定コマンドを発行する。最後に、リーダコントローラ９０１は、モノクロ／カラーの指定をするコマンドを発行することにより、プリンタ側の全ての設定を終了する。
【００６０】原稿給送装置８０１で原稿を原稿台上に給送した後に、リーダコントローラ９０１は、エンジン制御部２００２に対して、プリント要求／ＰＰＲＮＴ信号を発生する。
【００６１】このプリント要求／ＰＰＲＮＴ信号に応答する形で所定時間後にエンジン制御部２００２から／ＰＴＯＰ信号が返ってくる。リーダコントローラ９０１は、この／ＰＴＯＰ信号を割り込みコントローラ２２０４で処理し、／ＰＴＯＰ信号と同期させるように光学読取装置８０２を動作させる。リーダコントローラ９０１は、／ＰＴＯＰ信号に垂直走査方向は同期させて、更に／ＰＬＳＹＮＣ信号に水平方向を同期させて、／ＰＶＤＯ信号を／ＰＶＣＬＫに同期させ、光電変換装置８０４から画像処理部９０２へ入力された信号をエンジン制御部２００２へと転送する。ここでは、カラーモードに設定したため、光学読取装置２００２を４回動作させ、４回発生させる／ＰＴＯＰ信号に対して、ＣＭＹＫ４色分の画像を形成することになる。
【００６２】そして、最終の／ＰＴＯＰ信号の発生後、リーダコントローラ９０１は、／ＰＰＲＮＴ信号をＨｉｇｈ（偽）に戻す。これにより、エンジン制御部２００２はプリント要求が終了したことを検知し、中間転写体４０５のクリーニング動作などの後処理に移行する。更に、転写された記録紙は定着ローラ４０７を通過後、指定された排紙口４１７または４１８に排出される。
【００６３】最後に、リーダコントローラ９０１は、エンジン制御部２００２に対して、記録紙搬送状態でない（つまり排紙終了）を確認した後、プリント終了となり、次のプリント要求が発生するまで、レディ状態で待機する。」
　
「【０１２７】本実施形態での画像形成装置では、図６のタイミングチャートに示すとおり、カラーの画像を形成する場合には、１スキャン毎に１色成分の画像データをビデオインターフェース２１０１を通じてリーダコントローラ９０１からプリンタコントローラ２１０３に送出することしかできない。もちろん、ハード構成を変更すれば、１スキャンで３色成分の画像を送出することが可能となるが、ハード信号の増大に伴い、コストアップになることは避けられない。
【０１２８】そのため、本実施形態では、ハード構成をほとんど変更することなく、白黒、カラーの原稿のいずれの場合でもスキャン動作が可能となるように、原稿の種類に応じて、スキャン回数の設定値を複数有することにより、スキャン機能を実現している。
【０１２９】また、カラー画像読み取りに関しては、１色成分毎に１回スキャンするのではなく、副走査方向の読み取り速度を通常の1/3 速（色成分が３色の場合）、あるいは1/4 速（色成分が４色の場合）に落とし、主走査方向の３ライン（あるいは４ライン）の色成分を画像信号にパッキングする線順次の画像データでプリンタコントローラ２１０３に送出するようにすることで、スキャン回数を１回としてカラー画像を読み取ることも可能である。」
（刊行物１の記載、以上）
　
　以上の記載によると、刊行物１には、「［リーダコントローラを装着した場合の構成］図９は、本実施形態の画像形成装置に、コンピュータ（ホスト）２１０４から転送されたデータを元にしてプリンタコントローラ２１０３から出力される画像データだけでなく、用紙上の原稿画像を光学的に読み込んでデジタル信号に変換して出力するリーダコントローラを装着した」（【００４７】）「画像形成装置」の発明（以下、「刊行物１発明」ともいう）が記載されていると認められる。
　
　刊行物１の「画像形成装置」（図９のもの）は、「本実施形態の画像形成装置に、・・リーダコントローラを装着した」（【００４７】）ものであるから、本実施形態の画像形成装置の構成も有しており、プリンタ部においては、
「画像が白黒の時は、黒現像器４０４のみが動作し、カラーの時は、両方の現像器４０３と４０４が使用される。」（【００２８】）
「中間転写体４０５は、白黒の場合は１回転、カラーの場合は４回転して画像生成を中間転写体４０５上に完了する。」（【００２９】）
「中間転写体４０５で画像形成が終了するタイミングで中間転写体４０５と４０６の転写ベルトの間に記録紙が来るように、記録紙搬送のタイミングが制御される。」（【００３１】）
ものである。
　
　刊行物１の「画像形成装置」は、［フルカラーモードのコピー時の動作］（【００５７】）を行うものであり、
「リーダコントローラ９０１は、モノクロ／カラーの指定をするコマンドを発行」（【００５９】）し、
「ここでは、カラーモードに設定したため、光学読取装置２００２を４回動作させ、４回発生させる／ＰＴＯＰ信号に対して、ＣＭＹＫ４色分の画像を形成する」（【００６１】）。
　
４　対比
　本願発明と刊行物１発明とを対比する。
　
（１）「特定の波長帯域の光を透過させるフィルタを介して第１のラインセンサを用いて原稿の画像を第１の走査速度で読み取ってイメージ情報に変換する第１の画像読取手段」と「フィルタを介さないかもしくは透明フィルタを介して前記第１のラインセンサよりも感度の高い前記第１のラインセンサとは異なる第２のラインセンサを用いて前記第１の走査速度よりも速い第２の走査速度で原稿の画像を読み取ってイメージ情報に変換する第２の画像読取手段」
　
　刊行物１発明の「画像形成装置」は、画像を読み取り印刷するものであって、画像を形成する点で本願発明の「画像形成装置」と一致するといえる。
　そして、刊行物１発明は「光学読み取り手段２００２」を有し、読み取り用のセンサを有するものと認められ、
　刊行物１に
　「（作用）従来装置では原稿画像の輝度信号（Ｒ，Ｇ，Ｂ）を１回スキャンで同時に取り込んでいるのに対して、本発明では、カラー画像読取り時には、Ｒ，Ｇ，Ｂの順で、３回スキャン、あるいは濃度信号（Ｙ，Ｍ，Ｃ，Ｋ）の順で、４回スキャンし、白黒画像読取り時には、１回スキャンで画像を読み取るようにしたので、インターフェース信号を増大させることなく、スキャン機能を実現することができる。」（【０００９】）、
　「カラー画像読み取りに関しては、１色成分毎に１回スキャンするのではなく、副走査方向の読み取り速度を通常の1/3 速（色成分が３色の場合）、あるいは1/4 速（色成分が４色の場合）に落とし、主走査方向の３ライン（あるいは４ライン）の色成分を画像信号にパッキングする線順次の画像データでプリンタコントローラ２１０３に送出するようにすることで、スキャン回数を１回としてカラー画像を読み取ることも可能である。」（【０１２９】）とあって、センサの読み取りに関して、「副走査方向」、「主走査方向の３ライン（あるいは４ライン）」との記載があり、
　さらに、刊行物１記載のような読み取り装置において、ラインセンサを用いることが普通に知られていることから、
　刊行物１発明「画像形成装置」は、「ラインセンサを用いて原稿の画像を読み取ってイメージ情報に変換する画像読取手段」を有するといえる。
　
　しかしながら、刊行物１にはセンサ構成の詳細について明記されておらず、刊行物１発明の「ラインセンサを用いて原稿の画像を読み取ってイメージ情報に変換する画像読取手段」が、
「特定の波長帯域の光を透過させるフィルタを介して第１のラインセンサを用いて原稿の画像を第１の走査速度で読み取ってイメージ情報に変換する第１の画像読取手段」と「フィルタを介さないかもしくは透明フィルタを介して前記第１のラインセンサよりも感度の高い前記第１のラインセンサとは異なる第２のラインセンサを用いて前記第１の走査速度よりも速い第２の走査速度で原稿の画像を読み取ってイメージ情報に変換する第２の画像読取手段」とからなるものとはいえない。
　したがって、本願発明と刊行物１発明とは、「ラインセンサを用いて原稿の画像を読み取ってイメージ情報に変換する画像読取手段」という点で一致し、
　「画像読取手段」が、本願発明では
「特定の波長帯域の光を透過させるフィルタを介して第１のラインセンサを用いて原稿の画像を第１の走査速度で読み取ってイメージ情報に変換する第１の画像読取手段」と「フィルタを介さないかもしくは透明フィルタを介して前記第１のラインセンサよりも感度の高い前記第１のラインセンサとは異なる第２のラインセンサを用いて前記第１の走査速度よりも速い第２の走査速度で原稿の画像を読み取ってイメージ情報に変換する第２の画像読取手段」であることに対し、刊行物１発明はそうでない点で相違する。
　
（２）「前記第１の画像読取手段によって読み取られたイメージ情報に基づいて出力画像をカラー画像を形成する際のプロセス速度である第１の出力画像速度で形成する第１の出力画像形成手段」と「前記第２の画像読取手段によって読み取られたイメージ情報に基づいて出力画像をモノクロ画像を形成する際のプロセス速度である第２の出力画像速度で形成する第２の出力画像形成手段」
　
　刊行物１発明は、プリンタでスキャンした画像印刷するものであり、このプリンタで画像を印刷する構成は、本願発明の「出力画像形成手段」といい得るものである。
　刊行物１発明では、プリンタ部において、
「画像が白黒の時は、黒現像器４０４のみが動作し、カラーの時は、両方の現像器４０３と４０４が使用される。」（【００２８】）
「中間転写体４０５は、白黒の場合は１回転、カラーの場合は４回転して画像生成を中間転写体４０５上に完了する。」（【００２９】）
「中間転写体４０５で画像形成が終了するタイミングで中間転写体４０５と４０６の転写ベルトの間に記録紙が来るように、記録紙搬送のタイミングが制御される。」（【００３１】）
　のであり、「カラー画像を形成」または「モノクロ画像を形成」しているといえ、刊行物１発明には、「カラー画像を形成」する「出力画像形成手段」と「モノクロ画像を形成」する「出力画像形成手段」を認めることができる。
　そして、いずれも「画像読取手段によって読み取られたイメージ情報に基づいて」画像を形成するといえ、この「カラー画像を形成」する「出力画像形成手段」と「モノクロ画像を形成」する「出力画像形成手段」は、それらの手段が存在することにより、「第１の」または「第２の」「出力画像形成手段」といい得る。
　
　この「カラー画像を形成」の場合、
「カラーの時は、両方の現像器４０３と４０４が使用され」、「中間転写体４０５は、・・・カラーの場合は４回転して画像生成を中間転写体４０５上に完了」し、「中間転写体４０５で画像形成が終了するタイミングで中間転写体４０５と４０６の転写ベルトの間に記録紙が来るように、記録紙搬送のタイミングが制御される」から、
　「カラー画像を形成」する速度は、
　「中間転写体４０５」が「４回転して画像生成を中間転写体４０５上に完了」し、「中間転写体４０５で画像形成が終了するタイミングで中間転写体４０５と４０６の転写ベルトの間に記録紙が来るように、記録紙搬送のタイミングが制御され」て印刷がなされる速度であるといえ、この速度は、「カラー画像を形成する際のプロセス速度」といい得る。
　また、「モノクロ画像を形成」の場合、
　「画像が白黒の時は、黒現像器４０４のみが動作し」、「中間転写体４０５は、白黒の場合は１回転・・・して画像生成を中間転写体４０５上に完了」し、「中間転写体４０５で画像形成が終了するタイミングで中間転写体４０５と４０６の転写ベルトの間に記録紙が来るように、記録紙搬送のタイミングが制御される」から、
　「モノクロ画像を形成」する速度は、
　「中間転写体４０５」が「１回転・・・して画像生成を中間転写体４０５上に完了」し、「中間転写体４０５で画像形成が終了するタイミングで中間転写体４０５と４０６の転写ベルトの間に記録紙が来るように、記録紙搬送のタイミングが制御され」て印刷がなされる速度であるといえ、この速度は、「モノクロ画像を形成する際のプロセス速度」といい得る。
　そして、それぞれのプロセス速度はそれらが存在することにより、「第１の」または「第２の」「プロセス速度」といい得る。
　
　そうすると、刊行物１発明は、
「前記画像読取手段によって読み取られたイメージ情報に基づいて出力画像をカラー画像を形成する際のプロセス速度である第１の出力画像速度で形成する第１の出力画像形成手段」と
「前記画像読取手段によって読み取られたイメージ情報に基づいて出力画像をモノクロ画像を形成する際のプロセス速度である第２の出力画像速度で形成する第２の出力画像形成手段」とを備える
　といい得、この点で本願発明と刊行物１発明とは一致する。
　もっとも、「画像読取手段」における上記相違が認められる。
　
（３）「前記第２の出力画像形成手段は前記第１の出力画像形成手段より速い速度で出力画像を形成する」
　
　刊行物１発明における
　「カラー画像を形成」する速度は、
　「中間転写体４０５」が「４回転して画像生成を中間転写体４０５上に完了」し、「中間転写体４０５で画像形成が終了するタイミングで中間転写体４０５と４０６の転写ベルトの間に記録紙が来るように、記録紙搬送のタイミングが制御され」て印刷がなされる速度であり、
　刊行物１発明における
　「モノクロ画像を形成」する速度は、
　「中間転写体４０５」が「１回転・・・して画像生成を中間転写体４０５上に完了」し、「中間転写体４０５で画像形成が終了するタイミングで中間転写体４０５と４０６の転写ベルトの間に記録紙が来るように、記録紙搬送のタイミングが制御され」て印刷がなされる速度であり、
　「カラー画像を形成」する速度は、「中間転写体４０５」が「４回転」する必要があり、
　「モノクロ画像を形成」する速度は、「中間転写体４０５」が「１回転」であって、
　「モノクロ画像を形成」する速度は「カラー画像を形成」する速度より速いといえる。
　すなわち、刊行物１発明は、「前記第２の出力画像形成手段は前記第１の出力画像形成手段より速い速度で出力画像を形成する」といい得、この点で本願発明と刊行物１発明とは一致する。
　
（４）一致点相違点
　以上のとおり対比されるから、本願発明と刊行物１発明とは、一致点および相違点は次のとおりである。
　
［一致点］
　「ラインセンサを用いて原稿の画像を読み取ってイメージ情報に変換する画像読取手段」と、
　「前記画像読取手段によって読み取られたイメージ情報に基づいて出力画像をカラー画像を形成する際のプロセス速度である第１の出力画像速度で形成する第１の出力画像形成手段」と
　「前記画像読取手段によって読み取られたイメージ情報に基づいて出力画像をモノクロ画像を形成する際のプロセス速度である第２の出力画像速度で形成する第２の出力画像形成手段」と
　を備え、
　「前記第２の出力画像形成手段は前記第１の出力画像形成手段より速い速度で出力画像を形成する」ことを特徴とする画像形成装置。
　
［相違点］
　「画像読取手段」が、本願発明では
「特定の波長帯域の光を透過させるフィルタを介して第１のラインセンサを用いて原稿の画像を第１の走査速度で読み取ってイメージ情報に変換する第１の画像読取手段」と「フィルタを介さないかもしくは透明フィルタを介して前記第１のラインセンサよりも感度の高い前記第１のラインセンサとは異なる第２のラインセンサを用いて前記第１の走査速度よりも速い第２の走査速度で原稿の画像を読み取ってイメージ情報に変換する第２の画像読取手段」であることに対し、刊行物１発明はそうでない点。
　
５　判断
　刊行物１には、
　「本実施形態での画像形成装置では、図６のタイミングチャートに示すとおり、カラーの画像を形成する場合には、１スキャン毎に１色成分の画像データをビデオインターフェース２１０１を通じてリーダコントローラ９０１からプリンタコントローラ２１０３に送出することしかできない。もちろん、ハード構成を変更すれば、１スキャンで３色成分の画像を送出することが可能となるが、ハード信号の増大に伴い、コストアップになることは避けられない。」（【０１２７】）とあって、刊行物１には「コストアップ」を容認すれば、「ハード構成を変更」して、「１スキャンで３色成分の画像を送出することが可能」であることが示唆されている。
　また、
　「カラー画像読み取りに関しては、１色成分毎に１回スキャンするのではなく、副走査方向の読み取り速度を通常の1/3 速（色成分が３色の場合）、あるいは1/4 速（色成分が４色の場合）に落とし、主走査方向の３ライン（あるいは４ライン）の色成分を画像信号にパッキングする線順次の画像データでプリンタコントローラ２１０３に送出するようにすることで、スキャン回数を１回としてカラー画像を読み取ることも可能である。」（【０１２９】）とあって、カラー読み取りのスキャン回数を１回とし、カラー読み取りをモノクロの読み取り速度に対して速度を落としてスキャンすることも記載されている。
　
　これらの示唆により、当業者は、刊行物１発明において、カラースキャンを１回とし、また、カラースキャンをモノクロスキャンに対して遅くする、すなわち、カラースキャンとモノクロスキャンとを異なる速度とする構成を想到できるといえる。
　そして、カラースキャンとモノクロスキャンとを異なる速度とする手段として、
　フィルターを有してカラー用とするラインセンサとフィルターを有せずモノクロ用とするラインセンサとを有するセンサ
　を採用することが、下記周知例１ないし３に記載されるように周知である。
　
　この周知のセンサは、本願発明における
　「特定の波長帯域の光を透過させるフィルタを介して第１のラインセンサを用いて原稿の画像を読み取ってイメージ情報に変換する第１の画像読取手段と、
　フィルタを介さないかもしくは透明フィルタを介して前記第１のラインセンサよりも感度の高い前記第１のラインセンサとは異なる第２のラインセンサを用いて原稿の画像を読み取ってイメージ情報に変換する第２の画像読取手段」
　といい得るものである。
　
　そうであるから、刊行物１発明において、カラースキャンとモノクロスキャンとを異なる速度とする手段として、上記周知のセンサを採用して、当然に、カラーの場合の走査速度よりもモノクロの場合の走査速度を速くして、
　本願発明の相違点に係る構成である
　「特定の波長帯域の光を透過させるフィルタを介して第１のラインセンサを用いて原稿の画像を第１の走査速度で読み取ってイメージ情報に変換する第１の画像読取手段と、
　フィルタを介さないかもしくは透明フィルタを介して前記第１のラインセンサよりも感度の高い前記第１のラインセンサとは異なる第２のラインセンサを用いて前記第１の走査速度よりも速い第２の走査速度で原稿の画像を読み取ってイメージ情報に変換する第２の画像読取手段」
　とすることは、当業者が容易に想到できることといえる。
　
　そして、そのような構成において、本願発明の効果は予測されるものといえる。
　
（周知例）
・［周知例１］（特開昭６０−１２３１５８号公報）
　周知例１には、次の記載がある。
　「前記光電素子として１チップのＣＣＤイメージセンサ上に夫々がＮ個のエレメントを有する４列（Ｒ，Ｇ，Ｂ及びＷ）のＣＣＤセンサ列を配置し、このＲ，Ｇ，Ｂの列に対し、赤フィルター、緑フィルター、青赤フィルターを配列対応させて前記４列のセンサ列の出力として赤（Ｒ）出力、緑（Ｇ）出力、青（Ｂ）出力及び白（Ｗ）出力を得る構成となし・・」（特許請求の範囲　１）
　「モード切換信号つまりカラー原稿読取時と白黒原稿読取時でモードを切り換えてカラーモードではＲ，Ｇ，Ｂの各出力の取込みを処理部が行いまた白黒モードではＷ出力の取込みを行わせている。
　この場合、白黒モードではフィルターなしのＷ列から得られる前記Ｗ出力はカラーモードでのＲ，Ｇ，Ｂ列より得られるＲ，Ｇ，Ｂの各出力よりも３倍か４倍の出力を得ることができることから・・、該白黒モード原稿の読取りはカラー読取りの場合より高速読み取りを可能にできる。」（３頁右上欄１１行〜左下欄２行）
　
　上記記載によると、「白黒モード原稿の読取りはカラー読取りの場合より高速読み取りを可能」とする構成として、「４列（Ｒ，Ｇ，Ｂ及びＷ）のＣＣＤセンサ列を配置し、このＲ，Ｇ，Ｂの列に対し、赤フィルター、緑フィルター、青赤フィルターを配列対応させ」「フィルターなしのＷ列」とし、「４列のセンサ列の出力として赤（Ｒ）出力、緑（Ｇ）出力、青（Ｂ）出力及び白（Ｗ）出力を得る構成」を用いることが記載されているといえる。
　
・［周知例２］（特開平１１−２２０５６９号公報）
　周知例２には、次の記載がある。
「【０００１】
【発明の属する技術分野】本発明は、赤、緑、青の３色の色フィルタが設けられた３ラインのカラーラインセンサと、カラーラインセンサのアナログ出力を処理するアナログ処理部と、アナログ処理部から出力されたアナログデータをデジタルデータへ変換するＡ／Ｄ変換部とを有するカラー画像読取装置に関し、特に、白黒出力可能なカラー画像読取装置に関する。
【０００２】
【従来の技術】１回の走査でフルカラー読み取りを行うカラー画像読取装置においては、受光面にＲ（赤）、Ｇ（緑）、Ｂ（青）のそれぞれの色フィルタを設けた３ラインＣＣＤを用いて装置を構成するのが一般的である。また、このカラー画像読取装置にて白黒読み取りを行う場合、最も輝度情報を取りやすいＧ出力を用いるのが一般的である。
【０００３】ところで、画像データのＳ／ＮはＣＣＤ蓄積時間（ライン周期）と受光量に依存し、Ｓ／Ｎを向上させるには、蓄積時間を長くするか、受光量を多くする（光源輝度を大きくする）必要がある。従って、上記カラー画像読取装置で、同一光源によりカラー読み取り時と同じＳ／Ｎで白黒読み取りを行うには、同じＣＣＤ蓄積時間が必要になるので、カラー読み取りと白黒読み取りの読み取り速度は同じになってしまう。
【０００４】
【発明が解決しようとする課題】白黒プリンタは、カラープリンタよりも一般的に印字速度が速いが、上述のごとくカラー画像読取装置を用いてカラー読み取りと同じＳ／Ｎで白黒読み取りを行うと、白黒読み取り時の読み取り速度が低下してしまうので、このカラー画像読取装置をプリンタに接続しプリンタで印字出力する場合に、印字速度も低下してしまうことになる。
【０００５】このようなことから、Ｓ／Ｎを落とさずに白黒読み取り速度のみを向上させたいとの要望が出てきた。ここで、必要な白黒読み取り速度と必要なＳ／Ｎに合わせて輝度の高い光源を用いる方式も考えられるが、光源の高輝度化は、装置の大型化や発熱、コストアップの問題があり、好ましくない。
【０００６】本発明は、このような背景に鑑みてなされたものであり、カラー読み取りに必要な最小限の光源輝度で、Ｓ／Ｎを落とさずに白黒読み取りを高速化させることができるカラー画像読取装置を提供することを目的とするものである。
【０００７】
【課題を解決するための手段】上記目的を達成するために、請求項１記載の発明は、赤、緑、青の３色の色フィルタが設けられた３ラインのカラーラインセンサと、カラーラインセンサのアナログ出力を処理するアナログ処理部と、アナログ処理部から出力されたアナログデータをデジタルデータへ変換するＡ／Ｄ変換部とを有するカラー画像読取装置において、カラーラインセンサの他に、色フィルタを設けない色フィルタ無しラインセンサを加え、全体として４ラインからなるラインセンサを構成することを特徴とするものである。」
　
　上記記載によると、カラーの場合に対して、白黒の場合の読み取り速度を向上させるために、「赤、緑、青の３色の色フィルタが設けられた３ラインのカラーラインセンサと、・・・色フィルタを設けない色フィルタ無しラインセンサを加え、全体として４ラインからなるラインセンサ」を用いることが記載されているといえる。
　
・［周知例３］（特開２０００−６９２５４号公報）
　周知例３には、次の記載がある。
「【０００１】
【発明の属する技術分野】本発明は、カラー画像を読み取り出力すると共に白黒画像を読み取り出力することが可能な画像読取装置にする。
【０００２】
【従来の技術】従来から、イメージスキャナ等の画像読取装置において、カラー画像を読み取り出力すると共に白黒画像を読み取り出力することが可能な画像読取装置が知られている。一般的に、読み取り原稿を１回走査することによりフルカラー読み取りを行うカラー画像読取装置においては、装置の受光面に赤緑青（ＲＧＢ）それぞれの色フィルタを設けた３ラインＣＣＤを用いて画像読取装置を構成している。また、前記３ラインＣＣＤを用いたカラー画像読取装置により白黒読取を行う場合には、最も輝度情報を取り易い緑（Ｇ）出力を用いることが一般的に行われている。ここで、画像読取装置から出力される画像データのシグナル／ノイズ（Ｓ／Ｎ）比について説明する。画像読取装置から出力される画像データのＳ／Ｎ比は、画像読取装置の受光素子（ＣＣＤ）において受光した時間（受光信号の蓄積時間：ライン周期）と単位時間当たりの受光量に依存し、Ｓ／Ｎ比を向上させるには蓄積時間を長くするか、単位時間の受光量を多くするために光源の輝度を大きくする必要がある。従って、上記３ラインＣＣＤを用いたカラー画像読取装置を用いて、カラー読み取りと白黒読み取りを同一の光源且つ同一の蓄積時間により行った場合には、蓄積時間も受光量も同一になるため、上記の理由からカラー読み取りと白黒読み取りのＳ／Ｎ比も同一になる。一方、上記した３ライン構成のＣＣＤを用いたカラー画像読取装置に対して、４ライン構成のＣＣＤを用いた画像読取装置が、特開平８−１４９２８０号公報に記載されている。この特開平８−１４９２８０号公報では、ＣＣＤにおける赤緑青（ＲＧＢ）読み取りラインに新たに追加された１つの読み取りラインにより、原稿画像中に印された赤外光マークを読み取り、更に、その赤外光マークにより原稿画像中の編集領域を認識している。即ち、特開平８−１４９２８０号公報に記載された発明は、通常のＲＧＢ読み取りラインとは別に赤外光の読み取りラインを４ライン目に設けることにより、編集領域を画像読取装置に認識させるための発明であるといえる。
【０００３】
【発明が解決しようとする課題】ところで、近年においては、カラー画像読取装置をプリンタ等に接続してコピー機能を実現するケースが増えている。しかしながら、カラープリンタでは写真等を出力する場合が多く、一般的に白黒プリンタよりも高いＳ／Ｎ比が要求される。従って、カラー画像読取装置に対しても、白黒プリンタに出力する場合よりも高いＳ／Ｎ比で読み取ることが要求される。一方、カラー画像読取装置による読み取りデータを白黒プリンタに出力する場合には、カラー画像読取装置のＣＣＤにカラーフィルタを備えない白黒読み取り専用のラインを設けることにより、カラー読み取り時と同じ輝度の光源を用いても読み取り速度を向上させることができる。しかし、カラー画像読取装置によってカラー画像を読み取る場合に白黒読み取り速度にてカラー読み取りを行うと、カラー読み取り時におけるＳ／Ｎ比が低くなることから、写真等をカラープリントする場合等の高いＳ／Ｎ比を要求される場合には対応できなくなる。また、写真等をカラープリントする場合に高いＳ／Ｎ比で読み取るために、カラー画像読取装置において輝度の高い光源を用いる方法も考えられる。しかし、光源の高輝度化は、発熱等の対策のために画像形成装置を大型化し、コストを上昇させる要因となる等の問題がある。本発明は、上述した如き従来の問題を解決するためになされたものであって、白黒読取に必要最小限の輝度の光源を用いて白黒読み取り専用ラインを備えた４ラインＣＣＤにより白黒読取速度を向上させた画像読取装置において、カラー読取時にＳ／Ｎ比を向上させたカラー読取モードを有する画像読取装置を提供することを目的とする。
【０００４】
【課題を解決するための手段】上述の目的を達成するため、請求項１に記載の本発明の画像読取装置は、赤色フィルタを備えた赤色ラインセンサからなるラインと、緑色フィルタを備えた緑色ラインセンサからなるラインと、青色フィルタを備えた青色ラインセンサからなるラインと、色フィルタを備えない白黒ラインセンサからなるラインとの４ラインから構成され、且つ各ラインからアナログ信号を出力するラインセンサ部と、前記ラインセンサ部のアナログ信号出力の内から前記各色フィルタを備えるラインセンサからのアナログ信号出力の一つと、前記色フィルタを備えないラインセンサからのアナログ信号出力とを入力すると共に、どちらか一方のアナログ信号出力を選択して出力するアナログ出力切替部と、前記ラインセンサ部から前記アナログ出力切替部に入力しないアナログ信号出力及び前記アナログ出力切替部から出力されるアナログ信号出力を増幅処理及び利得補正処理するアナログ処理部と、前記アナログ処理部から出力されたアナログ信号出力をデジタル信号に変換するＡ／Ｄ変換部と、前記ラインセンサ部における読み取り周期を設定するためのライン周期信号を発生するライン周期切替部と、画像読取装置における副走査方向の走査速度を切替る副走査方向走査速度切替部と、制御部とを備え、該制御部は、カラー原稿の読み取りであるか白黒原稿の読み取りであるかの設定に従い、カラー原稿の読み取り時には白黒原稿の読み取り時よりも長いライン周期を出力するための切替信号を前記ライン周期切替部に対して出力し、カラー原稿の読み取り時には前記各色フィルタを備えるラインセンサからのアナログ信号出力の一つを選択すると共に白黒原稿の読み取り時には前記色フィルタを備えないラインセンサからのアナログ信号出力を選択する選択信号を前記アナログ出力切替手段に対して出力し、カラー原稿の読み取り時には白黒原稿の読み取り時よりも遅い走査速度となる切替信号を前記副走査方向走査速度切替部に対して出力することを特徴とする。請求項２の本発明は、請求項１に記載の画像読取装置において、前記ライン周期切替部は、入力する画素クロックが所定数に達した場合にライン周期信号を発生するカウンタであって、前記ライン周期信号は、前記カウンタに対して前記制御部から出力されるプリセット値により切替えられることを特徴とする。請求項３の本発明は、請求項２に記載の画像読取装置において、前記ライン周期切替部は、異なる周波数の複数の画素クロックを発生する画素クロック発生部と、前記複数の画素クロックから１つの画素クロックを選択するセレクタと、入力する画素クロックが所定数に達した場合にライン周期信号を発生するカウンタとから構成されることを特徴とする。」
　
　上記記載によると、「白黒読取速度を向上」（【０００３】）するための構成として、「赤色フィルタを備えた赤色ラインセンサからなるラインと、緑色フィルタを備えた緑色ラインセンサからなるラインと、青色フィルタを備えた青色ラインセンサからなるラインと、色フィルタを備えない白黒ラインセンサからなるラインとの４ラインから構成され、且つ各ラインからアナログ信号を出力するラインセンサ部」（【０００４】）を用いることが記載されているといえる。
（周知例、以上）
　
　したがって、本願発明は刊行物１に記載された発明および周知の技術に基づいて、当業者が容易に発明をすることができたものと認められる。
　
７　まとめ
　以上のとおり、本件出願の請求項１に係る発明は、刊行物１に記載された発明および周知の技術に基づいて、当業者が容易に発明をすることができたものであるから、特許法第２９条第２項の規定により特許を受けることができない。
　したがって、本件出願は、残る請求項２ないし３に係る発明について特に検討するまでもなく拒絶されるべきものである。
　よって、結論のとおり審決する。